(57)【要約】【課題】夜間に、外灯設備が設けられていない場所であっても、作業者が車両の積込、又は積卸作業がしやすいガイド照明付車両搬送用荷台を提供することにある。【解決手段】ガイド照明付車両搬送用荷台１０は、運搬車両１を積載可能な搬送用荷台１１と、搬送用荷台１１上に積載された運搬車両１の前輪２と後輪３とのそれぞれ前方、又は後方に位置する搬送用荷台１１の各部にガイド照明部１４とを有する。【選択図】図１
2019182327.tif 000002
【特許請求の範囲】
【請求項１】
運搬車両を積載可能な搬送用荷台と、
前記搬送用荷台上に積載された前記運搬車両の前輪と後輪とのそれぞれ前方、又は後方に位置する前記搬送用荷台の各部にガイド照明部と、
を有することを特徴とするガイド照明付車両搬送用荷台。
【請求項２】
前記搬送用荷台は、その面上に前記運搬車両を積載可能な床面部と、前記床面部の外縁から立設した側壁部とを有し、
前記側壁部が、前記床面部の面上に積載された運搬車両を挟んで、両外側に設けられると共に、前記ガイド照明部が前記側壁部に設けられていることを特徴とする請求項１に記載のガイド照明付車両搬送用荷台。
【請求項３】
前記ガイド照明部が、前記床面部に設けられていることを特徴とする請求項１、又は２に記載のガイド照明付車両搬送用荷台。
【発明の詳細な説明】
【技術分野】
【０００１】
本発明は、普通自動車等の車両を搬送するために荷台に備え付けられたガイド照明付車両搬送用荷台であって、夜間であっても作業者が運搬車両の積込、又は積卸作業がしやすいガイド照明付車両搬送用荷台に関する。
【背景技術】
【０００２】
従来、普通自動車等の運搬車両を荷台に積載し、搬送することができる貨物自動車が存在しており、例えば、特許文献１に開示されたような荷台を備えた貨物自動車が知られている。昼間に、運搬車両の車両搬送用荷台への積込、又は積卸作業は特に問題なく行うことができる。一方、夜間に、運搬車両の荷台への積込、又は積卸作業を行う場合があり、その際は車両搬送用荷台の前方部に設けられたゲート部に照明装置を取り付け、照明装置を点灯させて、作業者は車両の積込、又は積卸作業を行っていた。
【先行技術文献】
【特許文献】
【０００３】
【特許文献１】特開２０１６−９４０５６
【発明の概要】
【発明が解決しようとする課題】
【０００４】
しかしながら、夜間に、特に外灯設備が設けられていない場所で、積込作業において、荷台上に運搬車両を積載させた後、当該運搬車両のタイヤに固定具を取り付けて、荷台に固定させる作業や、積卸作業において、荷台上に積載させた運搬車両のタイヤに取り付けられた固形具を取り外す作業の際、車両搬送用荷台の前方部に設けられた照明装置からの光が荷台上に積載した運搬車両により遮られてしまい、上述した各作業の妨げとなる状態となっていた。このような状態を解消するために、作業者は、手元を照らすための懐中電灯や、頭部に装着して使用するヘッドライト等を別途用意する必要があった。
【０００５】
本発明は、上記課題に鑑みて、夜間に、外灯設備が設けられていない場所であっても、作業者が車両の積込、又は積卸作業がしやすいガイド照明付車両搬送用荷台を提供することにある。
【課題を解決するための手段】
【０００６】
上記課題を解決するためになされた本発明のガイド照明付車両搬送用荷台は、運搬車両を積載可能な搬送用荷台と、前記搬送用荷台上に積載された前記運搬車両の前輪と後輪とのそれぞれ前方、又は後方に位置する前記搬送用荷台の各部にガイド照明部とを有することを特徴とする。
この構成により、荷台上に積載された車両に対する作業時に作業者の手元が照らされることができ、各作業が容易となる。また、荷台に車両を積込、又は積卸を行う際の目印となり、車両の積込、又は積卸作業が容易となる。
【０００７】
また、本発明のガイド照明付車両搬送用荷台は、前記搬送用荷台は、その面上に前記運搬車両を積載可能な床面部と、前記床面部の外縁から立設した側壁部とを有し、前記側壁部が、前記床面部の面上に積載された運搬車両を挟んで、両外側に設けられると共に、前記ガイド照明部が前記側壁部に設けられていることを特徴とする。
この構成により、荷台上に積載された車両に対する作業時に作業者の手元が照らされることができ、各作業が容易となる。また、荷台に車両を積込、又は積卸を行う際のガイドとなり、車両の積込、又は積卸作業が容易となる。
【０００８】
また、本発明のガイド照明付車両搬送用荷台は、前記ガイド照明部は、前記床面部に設けられていることを特徴とする。
この構成により、荷台上に積載された車両に対する作業時に作業者の手元が照らされることができ、各作業が容易となる。また、荷台に車両を積込、又は積卸を行う際のガイドとなり、車両の積込、又は積卸作業が容易となる。
【発明の効果】
【０００９】
本発明のガイド照明付車両搬送用荷台は、荷台上に積載された車両に対する作業時に作業者の手元が照らされることができ、各作業が容易となる。また、ガイド照明付車両搬送用荷台は、荷台に車両を積込、又は積卸を行う際のガイドとなり、車両の積込、又は積卸作業が容易となる。
【図面の簡単な説明】
【００１０】
【図１】本発明に係る実施形態のガイド照明付車両搬送用荷台を備えた車両運搬車を示す全体側面図である。
【図２】本発明に係る実施形態のガイド照明付車両搬送用荷台を備えた車両運搬車の運搬車両の積卸作業時の状態を示す側面図である。
【図３】本発明に係る実施形態のガイド照明付車両搬送用荷台を示す平面図である。
【図４】本発明に係る実施形態のガイド照明付車両搬送用荷台を示す側面図である。
【図５】本発明に係る実施形態のガイド照明付車両搬送用荷台のＡ−Ａ線拡大断面図である。
【図６】本発明に係る実施形態のガイド照明付車両搬送用荷台の別の実施例を示す平面図である。
【図７】本発明に係る実施形態のガイド照明付車両搬送用荷台のまた別の実施例を示す平面図である。
【発明を実施するための最良の形態】
【００１１】
以下、本発明に係る実施形態のガイド照明付車両搬送用荷台を図１〜図３に基づいて説明する。図１は、本発明に係る実施形態のガイド照明付車両搬送用荷台を備えた車両運搬車を示す全体側面図である。また、図２は、本発明に係る実施形態のガイド照明付車両搬送用荷台を備えた車両運搬車の運搬車両の積卸作業時の状態を示す側面図である。さらに、図３は、本発明に係る実施形態のガイド照明付車両搬送用荷台を示す平面図である。
【００１２】
本発明に係る実施形態のガイド照明付車両搬送用荷台１０は、運搬車両１を積載可能な搬送用荷台１１と、搬送用荷台１１上に積載された運搬車両１の前輪２と後輪３とのそれぞれ前方、又は後方に位置する搬送用荷台１１の各部にガイド照明部１４とを有する。
【００１３】
搬送用荷台１１は、その面上に運搬車両１を積載可能な平面状の床面部１２と、床面部１２の外縁から立設した側壁部１３とを有する。また、搬送用荷台１１を備えたガイド照明付車両搬送用荷台１０は、車両運搬車１００に設けられる。なお、車両運搬車１００は、車体フレーム１０１と、後方に傾斜するチルトフレーム１０２とが設けられ、搬送用荷台１１は、チルトフレーム１０２に対して車両前後方向にスライド自在に支持されている。
【００１４】
搬送用荷台１１は、その後端部に、あおり板１５が回動自在に設けられ、車両運搬車１００の走行時には、垂直に立てられた状態となる、一方、運搬車両１の積込、及び積卸作業時には、搬送用荷台１１を傾斜させると共に、図２に示すように、あおり板１５の先端部が地面に接地した状態となる。また、搬送用荷台１１を後方へ傾斜させる構造は、周知なものであるから、詳細な説明は省略する。
【００１５】
床面部１２は、図３に示す通り、その面上に運搬車両１を積載可能なサイズで形成されている。
【００１６】
側壁部１３は、床面部１２の外縁から立設する。本実施形態は、図５に示す通り床面部１２の外縁に、荷台外枠部１６が設けられており、荷台外枠部１６上に側壁部１３が立設されている。側壁部１３は、床面部１２の面上に運搬車両１を積載された際、積載された運搬車両１を挟んで両側に設けられている。
【００１７】
ガイド照明部１４は、搬送用荷台１１上に積載された運搬車両１の前輪２、及び後輪３のそれぞれ前方、又は後方に位置する搬送用荷台１１の各部に設けられている。ここで、ガイド照明部１４は、複数のＬＥＤランプと、当該ＬＥＤランプの点灯、又は消灯を制御する制御基板と、当該ＬＥＤランプを保護する照明カバーとを有する。また、ガイド照明部１４は、照射範囲を拡げるために、リフレクタや、拡散板を設けてもよい。
【００１８】
そして、ガイド照明部１４は、例えば、運転席に配置された点灯スイッチを操作することにより、ＬＥＤランプを点灯、又は消灯させる構成としてもよい。また、ガイド照明部１４は、光センサを設けることにより、光センサによって、ＬＥＤランプの点灯、又は消灯を調整する構成としてもよい。さらに、ガイド照明部１４は、人感センサを設けて、作業者が近づいた際に、ＬＥＤランプを点灯させる構成としてもよい。なお、ガイド照明部１４は、図示しないバッテリーに電気的に接続されている。
【００１９】
本実施形態では、ガイド照明部１４は、図３、４に示す通り、床面部１２の両外縁に立設された側壁部１３に設けられ、ガイド照明部１４の照射方向は、運搬車両１側に向けられている。また、ガイド照明部１４の照射範囲は、図３、４中に二点鎖線で示した範囲であり、ガイド照明部１４の取付位置は、運搬車両１の積込、及び積卸作業時に、作業者の手元が照らすことができる位置に取り付けるとよい。
【００２０】
また、本実施形態の別の実施例では、図６に示す通り、ガイド照明部１４ａは、床面部１２に設けられ、ガイド照明部１４ａの照射方向は垂直上方向に向けられている。また、床面部１２に設けられたガイド照明部１４ａの照明カバーは、運搬車両１が載置されたとしても、破損しない材質により形成されている。他方、ガイド照明部１４ａが、床面部１２の載置面から埋設した位置に設けられた構成であれば、運搬車両１がガイド照明部１４ａの照明カバー上に直接載置されないため、当該照明カバーの破損を回避することができる。
【００２１】
なお、ガイド照明部１４は、左右側壁部１３、又は床面部１２の各部に設けられる構成に加え、図７に示す別の実施例のように、左右側壁部１３、及び床面部１２の両方に設けられる構成であってもよい。
【００２２】
また、あおり板１５の両端部に、ガイド照明部１４とは別に照明部を設けても良い。運搬車両１の積込、及び積卸作業時のガイドとすることができる。
【００２３】
さらに、搬送用荷台１１の前方に設けられたフロントゲート１７に、ガイド照明部１４とは別に前方照明部１８を設けてもよい。搬送用荷台１１上に運搬車両１を積載する際、運搬車両１のフロントに対するガイドとすることができる。
【００２４】
本実施形態のガイド照明付車両搬送用荷台１０は、側壁部１３、又は床面部１２の各部に設けられたガイド照明部１４を点灯させることにより、作業者の作業を行う手元が照らされることができ、運搬車両１の積込、及び積卸作業が容易となる。
【００２５】
また、本実施形態のガイド照明付車両搬送用荷台１０は、側壁部１３、又は床面部１２の各部に設けられたガイド照明部１４を点灯させることにより、運搬車両１を搬送用荷台１１へ積込、又は積卸作業時のガイドとすることができ、運搬車両１の積込、又は積卸作業を容易とする。
【００２６】
さらに、本実施形態のガイド照明付車両搬送用荷台１０は、側壁部１３、又は床面部１２の各部に設けられたガイド照明部１４を点灯させることにより、運搬車両１を搬送用荷台１１へ積込、又は積卸作業を行っていることを、当該作業現場の近くを走行する車両に知らせることができ、事故を未然に回避するこができる。
【００２７】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを包含する。
【００２８】
本実施形態のガイド照明付車両搬送用荷台１０のガイド照明部１４は、側壁部１３、又は床面部１２の各部に設けられた構成であるが、ガイド照明部１４を、図示しないスライドレールを介して、側壁部１３、又は床面部１２の各部に設ける構成としてもよい。
【００２９】
例えば、ガイド照明部１４が、スライドレール上を、運搬車両１の車両前後方向にスライドすることにより、搬送用荷台１１に積載された運搬車両１のサイズや、形状に合わせて、ガイド照明部１４の位置を調整させることができる。ガイド照明部１４の位置を調整することができる構成により、運搬車両１のガイド照明付車両搬送用荷台１１へ積込、又は積卸作業の際に、適切な照明範囲を確保することができる。
【符号の説明】
【００３０】
１…運搬車両
２…前輪
３…後輪
１０…ガイド照明付搬送用荷台
１１…搬送用荷台
１２…床面部
１３…側壁部
１４…ガイド照明部
１５…あおり板
１６…荷台外枠部
１７…フロントゲート
１８…前方照明部
１００…車両運搬車
１０１…車体フレーム
１０２…チルトフレーム
【図１】
2019182327.tif 000003
【図２】
2019182327.tif 000004
【図３】
2019182327.tif 000005
【図４】
2019182327.tif 000006
【図５】
2019182327.tif 000007
【図６】
2019182327.tif 000008
【図７】
2019182327.tif 000009